(57)【要約】【課題】オペレータと装置との間の、紙幣の汚損状態を判定する能力のずれを解消する。【解決手段】運用時に、紙幣を光学的に読み取って紙幣の読取汚損度を算出し、読取汚損度と運用時に用いる正損レベルとして予め設定された設定レベルに対応する参照汚損度とを比較して、紙幣が正券であるのかまたは汚損券であるのかを判定する認識部と、各種のデータを表示する表示部と、正損レベルと参照汚損度との対応関係を表す正損レベルテーブルデータを格納する格納部とを有し、認識部は、設定レベルの設定時に、紙幣を光学的に読み取って紙幣の読取汚損度を算出し、さらに、格納部から正損レベルテーブルデータを読み出して、算出した読取汚損度と正損レベルテーブルデータの参照汚損度とを比較して読取汚損度に対応する正損レベルを判定し、判定した正損レベルを表示部に出力することを特徴とする。【選択図】図１
2008152597.tif 000002
【特許請求の範囲】
【請求項１】
光学的に読み取った紙幣に対して、利用可能な正券であるのかまたは利用不能な汚損券であるのかを判定する紙幣処理装置において、
各種のデータを表示する表示部と、
前記紙幣の汚損度に応じて段階的に予め定められた各レベルを正損レベルとし、それぞれの当該正損レベルに対応する各汚損度を参照汚損度とし、それぞれの当該正損レベルと当該参照汚損度との対応関係を表す正損レベルテーブルデータ、及び運用時の当該正損レベルとして予め設定された設定レベルを格納している格納部と、
運用時に、前記紙幣を光学的に読み取って前記紙幣の読取汚損度を算出し、さらに、前記格納部から前記設定レベルに対応する前記参照汚損度を読み出して、算出した当該読取汚損度と前記設定レベルに対応する前記参照汚損度とを比較して、前記紙幣が正券であるのかまたは汚損券であるのかを判定する認識部とを有し、
前記認識部は、前記設定レベルの設定時に、前記紙幣を光学的に読み取って前記紙幣の前記読取汚損度を算出し、さらに、前記格納部から前記正損レベルテーブルデータを読み出して、算出した前記読取汚損度と前記正損レベルテーブルデータのそれぞれの前記参照汚損度とを比較して、前記読取汚損度に対応する前記正損レベルを判定し、判定した前記正損レベルを前記表示部に出力する
ことを特徴とする紙幣処理装置。
【請求項２】
請求項１に記載の紙幣処理装置において、
前記認識部は、
前記設定レベルの設定時に、判定した前記正損レベルを前記設定レベルとして前記格納部に格納し、
運用時に、前記格納部から、前記設定レベルの設定時に格納した前記設定レベルに対応する前記参照汚損度を読み出して、前記読取汚損度との比較に用いる
ことを特徴とする紙幣処理装置。
【請求項３】
請求項１に記載の紙幣処理装置において、
前記認識部は、前記設定レベルの設定時に、複数枚の前記紙幣を光学的に読み取ってそれぞれの前記紙幣の前記正損レベルを判定し、前記紙幣の読取番号とそれぞれの前記紙幣の前記正損レベルとの対応関係を表すリストを前記表示部に出力する
ことを特徴とする紙幣処理装置。
【請求項４】
請求項１に記載の紙幣処理装置において、
前記認識部は、前記設定レベルの設定時に、複数枚の前記紙幣を光学的に読み取ってそれぞれの前記紙幣の前記正損レベルを判定し、それぞれの前記正損レベルに対応する前記紙幣の全体に占める量を表すヒストグラムを前記表示部に出力する
ことを特徴とする紙幣処理装置。
【請求項５】
請求項４に記載の紙幣処理装置において、
前記認識部は、前記設定レベルの設定時に、前記ヒストグラムを前記表示部に出力した後に、さらに、同じ判定レベルとなっている前記紙幣の読取番号と前記正損レベルとの対応関係を表すリストを前記表示部に出力する
ことを特徴とする紙幣処理装置。
【請求項６】
請求項１に記載の紙幣処理装置において、
前記認識部は、前記設定レベルの設定時に、正損レベルが異なる第１グループの複数の前記紙幣と第２グループの複数の前記紙幣を光学的に読み取ってそれぞれの前記紙幣の前記正損レベルを判定し、前記第１グループのそれぞれの前記正損レベルに対応する前記紙幣の全体に占める量を表す第１ヒストグラムと、前記第２グループのそれぞれの前記正損レベルに対応する前記紙幣の全体に占める量を表す第２ヒストグラムとを、グループ毎に、色分けして、前記表示部に出力する
ことを特徴とする紙幣処理装置。
【請求項７】
請求項６に記載の紙幣処理装置において、
前記認識部は、
前記設定レベルの設定時に、前記第１ヒストグラムと前記第２ヒストグラムとに基づいて、前記第１グループの前記紙幣と前記第２グループの前記紙幣とを切り分ける切分正損レベルＤｓｈを算出し、算出した当該切分正損レベルＤｓｈを前記設定レベルとして前記格納部に格納し、
運用時に、前記格納部から、前記設定レベルの設定時に格納した前記設定レベルに対応する前記参照汚損度を読み出す
ことを特徴とする紙幣処理装置。
【請求項８】
請求項１に記載の紙幣処理装置において、
前記認識部は、
前記設定レベルの設定時に、複数枚の前記紙幣を光学的に読み取ってそれぞれの前記紙幣の前記正損レベルを判定し、それぞれの前記正損レベルに対応する前記紙幣の量を表す正規分布を前記表示部に出力する
ことを特徴とする紙幣処理装置。
【請求項９】
請求項８に記載の紙幣処理装置において、
前記認識部は、
前記設定レベルの設定時に、判定した前記紙幣のそれぞれの前記正損レベルに対応する前記紙幣の全体に占める量を表すヒストグラムに基づいて、全ての前記紙幣の標準偏差σを算出し、さらに、算出した当該標準偏差σを用いて、予め定められた数の前記紙幣が予め定められた範囲内に含まれる包含正損レベルＤσを算出し、算出した当該包含正損レベルＤσを前記設定レベルとして前記格納部に格納し、
運用時に、前記格納部から、前記設定レベルの設定時に格納した前記設定レベルに対応する前記参照汚損度を読み出す
ことを特徴とする紙幣処理装置。
【請求項１０】
請求項１に記載の紙幣処理装置において、
前記格納部は、特定時期用の前記正損レベルを予め格納しており、
前記認識部は、現在時刻が特定の時期になった場合に、前記格納部から、特定時期用の前記正損レベルを読み出して、読み出した特定時期用の前記正損レベルを前記設定レベルとして前記格納部に格納する
ことを特徴とする紙幣処理装置。
【発明の詳細な説明】
【技術分野】
【０００１】
この発明は、光学的に読み取った紙幣に対して、利用可能な正券であるのかまたは利用不能な汚損券であるのかを判定する紙幣処理装置に関する。
【背景技術】
【０００２】
光学的に読み取った紙幣に対して、利用可能な紙幣（以下、「正券」と称する）であるのかまたは利用不能な紙幣（以下、「汚損券」と称する）であるのかを判定する紙幣処理装置（以下、単に「装置」と称する場合もある）として、例えば、金融機関で利用されている、オートテラーマシーン（ＡＴＭ）、キャッシュディスペンサー（ＣＤ）、紙幣計数機、施封機、窓口装置等がある。なお、以下、紙幣が正券であるのかまたは汚損券であるのかの判定を、「正損判定」と称する。
【０００３】
紙幣処理装置は、複数段階の、紙幣を正券と汚損券とに切り分けるレベル（以下、「正損レベル」と称する）が、予め用意されている（例えば、特許文献１参照）。例えば、通常、紙幣処理装置は、１０段階の正損レベルが用意されている。紙幣処理装置は、オペレータによってその中の一つが選択された場合に、選択された正損レベルを、運用時に用いる正損レベル（以下、「設定レベル」と称する）として、設定する。なお、ここでは、「運用」とは、装置の動作モードが紙幣の正損判定を行う状態になっていることを意味している。また、ここでは、「設定」とは、任意のデータを各種の演算に用いるデータとして格納部に格納する動作を意味している。
【０００４】
ところで、オペレータと装置との間では、汚損検出能力、すなわち、紙幣の汚損状態を判定する能力がずれている場合がある。紙幣処理装置は、オペレータと装置との間の汚損検出能力のずれを解消するために、上述の通り、正損レベルが予め複数用意されており、オペレータによってその中の一つが選択される構成となっている。
【０００５】
しかしながら、オペレータは、紙幣の汚損の度合い（以下、「汚損度」と称する）を定量的に把握することができない。そのため、オペレータは、各紙幣の正損レベルがどのレベルであるのかを認識しにくく、適切な設定レベルを紙幣処理装置に設定することが困難であった。
【０００６】
そこで、オペレータは、以下のようにして、適切と考えられる設定レベルを紙幣処理装置に設定していた。
【０００７】
すなわち、まず、オペレータは、サンプル用の券として、予め複数枚の紙幣（以下、「サンプル券」と称する）を用意し、各サンプル券に対して、自身の経験に基づいて、目視によって正損判定を行う。
【０００８】
次に、オペレータは、各サンプル券を所定の設定レベルに設定されている紙幣処理装置に読み取らせて、各サンプル券の正損判定を紙幣処理装置に行わせる。なお、設定レベルの初期値は、通常、１０段階の正損レベルの中の、レベル（以下、「Ｌｖ」と称する）５に設定されている。
【０００９】
次に、オペレータは、紙幣処理装置によって行われた正損判定の結果とオペレータの目視によって行われた正損判定の結果とを比較する。
【００１０】
この比較で、紙幣処理装置によって行われた正損判定の結果が正しければ、すなわち、紙幣処理装置によって行われた正損判定の結果がオペレータの目視によって行われた正損判定の結果と一致していれば、紙幣処理装置に設定されている設定レベルを変更せずに初期値のままとする。
【００１１】
他方、この比較で、紙幣処理装置によって行われた正損判定の結果が間違っていれば、すなわち、紙幣処理装置によって行われた正損判定の結果がオペレータの目視によって行われた正損判定の結果と相違していれば、紙幣処理装置に設定されている設定レベルを適宜変更する。
【００１２】
そして、オペレータは、再度、各サンプル券を紙幣処理装置に読み取らせて、各サンプル券の正損判定を紙幣処理装置に行わせる。
【００１３】
なお、設定レベルの変更は、例えば、以下のようにして行われる。ここでは、紙幣処理装置は、各種のデータを表示するとともに、各種のデータやコマンド等を入力する表示入力部を有しているものとして説明する。
【００１４】
すなわち、例えば、まず、オペレータは、紙幣処理装置の表示入力部を操作して、メニュー画面を表示させる。メニュー画面は、各種の動作モードを選択するモード選択キーや、各種のデータを入力する入力画面を選択する入力画面選択キー等を一覧表示する画面である。なお、モード選択キーの中には、設定レベルを設定するためのレベル設定画面を選択するレベル設定画面選択キーも含まれている。
【００１５】
次に、オペレータは、メニュー画面の中のレベル設定画面選択キーを押下する。これによって、紙幣処理装置の動作モードは、設定レベルを設定するためのモード（以下、「設定レベルの設定モード」と称する）となる。
【００１６】
次に、オペレータは、表示入力部を操作して、１０段階の正損レベルの中から、任意の正損レベルを選択する。このとき、紙幣処理装置は、オペレータによって選択された正損レベルを設定レベルとして格納部に格納する。これにより、紙幣処理装置は、オペレータによって選択された正損レベルを設定レベルとして設定する。
【００１７】
以上により、設定レベルの変更が、行われる。
【００１８】
オペレータは、このような動作を、紙幣処理装置によって行われた正損判定の結果が正しくなるまで、すなわち、紙幣処理装置によって行われた正損判定の結果がオペレータの目視によって行われた正損判定の結果と一致するようになるまで、繰り返し行う。これにより、紙幣処理装置の設定レベルは、最終的に、オペレータが適切と考えられる正損レベルに一致するようになる。
【００１９】
このようにして、オペレータは、適切と考えられる設定レベルを紙幣処理装置に設定していた。
【特許文献１】特開平８−９６２０５号公報（図１〜図５）
【発明の開示】
【発明が解決しようとする課題】
【００２０】
従来の紙幣処理装置は、以下に説明するように、適切と考えられる設定レベルの設定に時間がかかる、という課題があった。
【００２１】
すなわち、従来の紙幣処理装置は、複数枚のサンプル券に対する正損判定の結果が正しくなるまで、すなわち、紙幣処理装置によって行われた正損判定の結果がオペレータの目視によって行われた正損判定の結果と一致するようになるまで、オペレータによる設定レベルの変更を受けながら、複数枚のサンプル券に対する正損判定を、繰り返し行う。その際に、従来の紙幣処理装置は、紙幣処理装置によって行われた正損判定の結果とオペレータの目視によって行われた正損判定の結果とが一致するか否かをオペレータに判定させる必要がある。そのため、従来の紙幣処理装置は、適切と考えられる設定レベルの設定に時間がかかっていた。
【００２２】
また、従来の紙幣処理装置は、以下に説明するように、適切と考えられる設定レベルの特定が困難な場合がある、という課題があった。
【００２３】
すなわち、例えば、オペレータは、サンプル用の券として、汚損券と判定されるべき紙幣を用意し、当該紙幣を紙幣処理装置に読み取らせて、当該紙幣の正損判定を紙幣処理装置に行わせる。なお、ここでは、紙幣処理装置の設定レベルは、例えば、初期値のＬｖ５に設定されているものとする。この正損判定で、汚損券と判定されるべき紙幣が正券であると判定された場合に、オペレータは、紙幣処理装置の設定レベルを前回よりも１つ低いレベル（すなわち、Ｌｖ６）に変更して、再度、当該紙幣を紙幣処理装置に読み取らせて、当該紙幣の正損判定を紙幣処理装置に行わせる。この正損判定でも、汚損券と判定されるべき紙幣が正券であると判定された場合に、オペレータは、紙幣処理装置の設定レベルをさらに前回よりも１つ低いレベル（すなわち、Ｌｖ７）に変更する。このとき、オペレータは、サンプル用の券として、正券と判定されるべき紙幣を用意し、当該紙幣を紙幣処理装置に読み取らせて、当該紙幣の正損判定を紙幣処理装置に行わせる。この正損判定で、正券と判定されるべき紙幣が汚損券であると判定された場合に、オペレータは、設定レベルをＬｖ６に変更すべきかまたはＬｖ７のままに維持すべきかを決定することが困難であった。したがって、このような場合に、適切と考えられる設定レベルの特定が困難になっていた。
【００２４】
この発明は、これらの課題を解決するために、オペレータと同等の感覚で、紙幣の汚損状態を自動的に判定する紙幣処理装置を提供することを目的とする。
【課題を解決するための手段】
【００２５】
この発明に係る紙幣処理装置は、光学的に読み取った紙幣に対して、利用可能な正券であるのかまたは利用不能な汚損券であるのかを判定する紙幣処理装置に関する。
【００２６】
この発明に係る紙幣処理装置は、各種のデータを表示する表示部と、紙幣の汚損度に応じて段階的に予め定められた各レベルを正損レベルとし、各正損レベルに対応する各汚損度を参照汚損度とし、各正損レベルと参照汚損度との対応関係を表す正損レベルテーブルデータ、及び運用時の正損レベルとして予め設定された設定レベルを格納している格納部と、運用時に、紙幣を光学的に読み取って紙幣の読取汚損度を算出し、さらに、格納部から設定レベルに対応する参照汚損度を読み出して、算出した読取汚損度と設定レベルに対応する参照汚損度とを比較して、紙幣が正券であるのかまたは汚損券であるのかを判定する認識部とを有する。
【００２７】
この発明に係る紙幣処理装置は、上述の課題を解決するために、認識部が、設定レベルの設定時に、紙幣を光学的に読み取って紙幣の読取汚損度を算出し、さらに、格納部から正損レベルテーブルデータを読み出して、算出した読取汚損度と正損レベルテーブルデータの各参照汚損度とを比較して、読取汚損度に対応する正損レベルを判定し、判定した正損レベルを表示部に出力する。
【００２８】
これにより、紙幣処理装置は、設定レベルの設定時に、装置が判定した読取紙幣の正損レベルを表示部に表示する。
【発明の効果】
【００２９】
この発明に係る紙幣処理装置は、設定レベルの設定時に、装置が判定した読取紙幣の正損レベルを表示部に表示する。そのため、この発明に係る紙幣処理装置は、オペレータと装置との間の汚損検出能力のずれの有無をオペレータに認識させることができる。これにより、この発明に係る紙幣処理装置は、装置がオペレータと同等の感覚で紙幣の汚損状態を判定するように、容易に、かつ、短時間で、設定レベルをオペレータに設定させることができる。
【００３０】
その結果、この発明に係る紙幣処理装置によれば、従来の、適切と考えられる設定レベルの設定に時間がかかるという課題、及び、適切と考えられる設定レベルの特定が困難な場合があるという課題を解決することができる。
【発明を実施するための最良の形態】
【００３１】
この発明が適用される紙幣処理装置には、設定レベルの設定時に、装置が判定した正損レベル（以下、「判定レベル」と称する）を表示部に表示する機能が付加されている。なお、ここでは、「設定レベルの設定時」とは、装置の動作モードが設定レベルの設定を行う状態になっていることを意味している。
【００３２】
以下、図を参照して、この発明の実施の形態につき説明する。各図において、共通する構成要素や同様な構成要素については、同一の符号を付し、それらの重複する説明を省略する。
【００３３】
［実施例１］
以下、図面を参照して、紙幣処理装置の詳細につき、「紙幣処理装置の構成」、「格納部に格納されているデータ」、「紙幣処理装置の動作（運用時の動作）」、及び「紙幣処理装置の動作（設定レベルの設定の動作）」の順で説明する。
【００３４】
＜紙幣処理装置の構成＞
以下、図１２及び図１３を参照して、紙幣処理装置の構成につき説明する。なお、図１２は、紙幣処理装置の機構系の構成を示す図である。また、図１３は、紙幣処理装置の制御系の構成を示す図である。
【００３５】
図１２に示すように、紙幣処理装置１００は、機構系の構成要素として、例えば、紙幣収納庫１１０、認識部１２０、搬送路１３０ａ〜１３０ｅ、表裏反転部１４０、正券格納庫１５０、汚損券格納庫１６０、表示入力部１７０等を有する。
【００３６】
紙幣収納庫１１０は、正損判定の対象となる１乃至複数枚の紙幣５０を収納する収納部である。紙幣収納庫１１０は、収納された紙幣５０を搬送路１３０ａに繰り出す繰出機構を備えている。この繰出機構は、モータやローラ等で構成されている。
【００３７】
認識部１２０は、紙幣５０の画像データを取得して、取得した紙幣５０の画像データに基づいて紙幣５０の汚損状態を解析して、紙幣５０の正損判定を行う演算部である。
【００３８】
搬送路１３０ａ〜１３０ｅは、紙幣５０を搬送する通路である。搬送路１３０ａ〜１３０ｅは、紙幣５０を搬送するための搬送機構を備えている。この搬送機構は、モータやローラ等で構成されている。なお、搬送路１３０ｄは、紙幣処理装置１００の下に配置された図示せぬ搬送機構に紙幣５０を送り出すための搬送路である。図１２中、白抜き矢印は、紙幣５０が、搬送路１３０ｄによって、紙幣処理装置１００の下に配置された図示せぬ搬送機構に送り出されることを示している。
【００３９】
表裏反転部１４０は、紙幣５０を反転させて紙幣５０の表裏を揃える搬送機構である。
【００４０】
正券格納庫１５０は、認識部１２０によって正券と判定された紙幣５０が集積される格納部である。
【００４１】
汚損券格納庫１６０は、認識部１２０によって汚損券と判定された紙幣５０が集積される格納部である。
【００４２】
表示入力部１７０は、各種のデータを表示する出力部である。この表示入力部１７０は、タッチパネルで構成されており、オペレータの操作に応じて各種のデータやコマンド等を入力する入力部を兼ねている。
【００４３】
また、図１３に示すように、紙幣処理装置１００は、制御系の構成要素として、例えば、認識部１２０、表示入力部１７０、制御部１８０、格納部１９０等を有している。
【００４４】
認識部１２０は、上述の通り、紙幣５０の正損判定を行う演算部である。認識部１２０は、光学読取部１２２と判定部１２４とを備えている。
【００４５】
光学読取部１２２は、搬送機構やイメージセンサ等で構成されている。光学読取部１２２は、搬送機構によって紙幣５０を搬送しながら、イメージセンサによって紙幣５０を光学的に読み取って、紙幣５０の画像データを取得する。なお、以下、光学的に読み取られた紙幣を「読取紙幣」と称する場合もある。また、読取紙幣の画像データを「読取紙幣データ」と称する。
【００４６】
判定部１２４は、ＣＰＵで構成されている。判定部１２４は、読取紙幣５０の汚損度（以下、「読取汚損度」と称する）を算出して、算出した読取汚損度と設定レベルに対応する汚損度（以下、「参照汚損度」と称する）とを比較して、読取紙幣５０の正損判定を行う。判定部１２４は、例えば、算出した読取汚損度が５５であり、かつ、設定レベルに対応する参照汚損度が４１〜５０である場合に、読取紙幣５０を汚損券として判定する。
【００４７】
なお、「汚損度」には、運用に応じて、任意のパラメータが適宜用いられる。ここでは、「汚損度」には、画素（ドット）数を単位とする、汚損の有無を検出する領域として予め定められた領域（以下、「検出領域」と称する）の中の、汚損された面積（以下、「汚損面積」と称する）が用いられているものとする。
【００４８】
表示入力部１７０は、上述の通り、各種のデータを表示し、また、各種のデータやコマンド等を入力する、入出力部である。
【００４９】
制御部１８０は、紙幣処理装置１００の各構成要素の動作を制御する演算部である。制御部１８０は、ＣＰＵで構成されている。制御部１８０は、認識部１２０や格納部１９０等とともに、単一の半導体装置上に構成されている場合もある。
【００５０】
格納部１９０は、各種のプログラムやデータ等を格納する記憶部である。格納部１９０は、ＲＡＭで構成されている。格納部１９０は、各種のプログラムを格納するプログラム格納領域１９２と各種のデータを格納するデータ格納領域１９４とを備えている。プログラム格納領域１９２は、例えば、紙幣５０の読取汚損度を算出するための読取汚損度算出プログラムや、紙幣５０の正損判定を行うための正損判定プログラム等を格納している。データ格納領域１９４は、例えば、紙幣５０の正損判定で読取紙幣データとの対比に用いられる参照紙幣データ１９６Ａ、正損レベルと参照汚損度との対応関係を表す正損レベルテーブルデータ１９６Ｂ、設定レベルを表す設定レベルデータ１９６Ｃ、読取紙幣５０の読取紙幣データ１９８Ａ、読取紙幣５０の正損判定結果データ１９８Ｂ等を格納している。
【００５１】
＜格納部に格納されているデータ＞
以下、図１４（Ａ）〜（Ｈ）、図１５、図１６、図１７（Ａ）及び（Ｂ）、及び図１８を参照して、データ格納領域１９４に格納されるデータにつき説明する。
【００５２】
図１４（Ａ）〜（Ｈ）は、それぞれ、参照紙幣データの一例を示す図である。図１４（Ａ）は、参照紙幣データ１９６Ａの一例として、万円券の表の画像データ２１０ａａを示している。図１４（Ｂ）は、参照紙幣データ１９６Ａの一例として、万円券の裏の画像データ２１０ａｂを示している。図１４（Ｃ）は、参照紙幣データ１９６Ａの一例として、五千円券の表の画像データ２１０ｂａを示している。図１４（Ｄ）は、参照紙幣データ１９６Ａの一例として、五千円券の裏の画像データ２１０ｂｂを示している。図１４（Ｅ）は、参照紙幣データ１９６Ａの一例として、二千円券の表の画像データ２１０ｃａを示している。図１４（Ｆ）は、参照紙幣データ１９６Ａの一例として、二千円券の裏の画像データ２１０ｃｂを示している。図１４（Ｇ）は、参照紙幣データ１９６Ａの一例として、千円券の表の画像データ２１０ｄａを示している。図１４（Ｈ）は、参照紙幣データ１９６Ａの一例として、千円券の裏の画像データ２１０ｄｂを示している。
【００５３】
データ格納領域１９４は、これら画像データ２１０ａａ〜２１０ｄｂを参照紙幣データ１９６Ａとして格納する。なお、データ格納領域１９４は、旧紙幣、すなわち、過去に発行され、かつ、現在は廃止されている紙幣や、新紙幣、すなわち、新たに発行される紙幣等の画像データ等を、参照紙幣データ１９６Ａとして、格納することもできる。
【００５４】
図１５は、正損レベルテーブルデータの一例を示す図である。図１５は、正損レベルテーブルデータ１９６Ｂの一例として、正損レベルが「レベル１（Ｌｖ１）」から「レベル１０（Ｌｖ１０）」までの１０段階に分割された正損レベルテーブルデータ２２０ａを示している。なお、図１５に示す例では、例えば、「Ｌｖ１」の正損レベルに対応する参照汚損度は、「０〜１０」となっている。これは、読取紙幣５０の読取紙幣データが１０以下であれば、正券と判定され、読取紙幣５０の読取紙幣データが１０よりも大きければ、汚損券と判定されることを意味している。また、例えば、「Ｌｖ２」の正損レベルに対応する参照汚損度は、「１１〜２０」となっている。これは、読取紙幣５０の読取紙幣データが２０以下であれば、正券と判定され、読取紙幣５０の読取紙幣データが２０よりも大きければ、汚損券と判定されることを意味している。したがって、図１５に示す例では、正損レベルは、レベルの数値が低いほど、紙幣の汚損状態を判定する能力（以下、「汚損検出能力」と称する）が高いことを意味している。
【００５５】
図１６は、設定レベルデータの一例を示す図である。図１６は、設定レベルデータ１９６Ｃの一例として、設定レベルを「Ｌｖ５」とする場合の設定レベルデータ２３０ａを示している。この設定レベルデータ２３０ａは、オペレータによって、図１５に示す正損レベルテーブルデータ２２０ａの中から選択される。なお、図１６に示す例では、参照汚損度は、「４１〜５０」となっている。これは、設定レベルデータ２３０ａの基になっている正損レベルテーブルデータ２２０ａの「Ｌｖ５」に対応する参照汚損度（図１５参照）が「４１〜５０」となっているからである。
【００５６】
図１７（Ａ）及び（Ｂ）は、それぞれ、読取紙幣データの一例を示す図である。図１７（Ａ）は、読取紙幣データ１９８Ａの一例として、読取紙幣データ２４０ａを示している。なお、読取紙幣データ２４０ａは、読取紙幣５０の第一面、すなわち、表側または裏側のいずれか一方の面の画像データである。ここでは、読取紙幣５０の第一面を表側の面として説明する。図１７（Ｂ）は、読取紙幣データ１９８Ａの一例として、読取紙幣データ２４０ｂを示している。なお、読取紙幣データ２４０ｂは、読取紙幣５０の第二面、すなわち、第一面の裏面の画像データである。ここでは、読取紙幣５０の第二面を裏側の面として説明する。
【００５７】
図１８は、正損判定結果データの一例を示す図である。なお、「正損判定結果データ」とは、正損判定の結果を表すデータ、すなわち、正損判定によって判定された読取紙幣５０が正券であるのかまたは汚損券であるのかを表すデータを意味している。図１８は、正損判定結果データ１９８Ｂの一例として、読取紙幣５０の読取番号とその正損判定結果との対応関係を表すリストを示している。
【００５８】
＜紙幣処理装置の動作（運用時の動作）＞
以下、図１９を参照して、運用時の紙幣処理装置１００の動作につき説明する。なお、図１９は、運用時の紙幣処理装置の動作を示すフローチャートである。図１９中、点線で囲まれた動作は、オペレータによって行われる動作を示している。
【００５９】
なお、紙幣処理装置１００の動作は、格納部１９０に読み出し自在に予め格納されている各種のプログラム、例えば、上述の読取汚損度算出プログラムや正損判定プログラム等によって、規定されている。以下、この点については、説明を省略する。
【００６０】
また、紙幣処理装置１００は、制御部１８０及び認識部１２０で経過時間をカウントしており、経過時間に応じて動作する。以下、この点についても、説明を省略する。
【００６１】
図１９に示すように、運用時において、まず、オペレータは、設定レベルの設定を行う（Ｓ６０５）。この設定レベルの設定については、後述の「紙幣処理装置の動作（設定レベルの設定時の動作）」で詳述する。
【００６２】
Ｓ６０５の後、次に、オペレータは、正損判定の対象となる、１乃至複数枚の紙幣５０を紙幣収納庫１１０にセットし（Ｓ６１０）、さらに、表示入力部１７０を操作して、紙幣処理装置１００の動作モードを、紙幣５０の正損判定を行う状態（以下、「運用モード」と称する）にして、表示入力部１７０に表示されている判定開始キーを押下する（Ｓ６１５）。
【００６３】
紙幣処理装置１００は、判定開始キーが押下されると、これに応答して、運用、すなわち、紙幣５０の正損判定を開始する。このとき、紙幣処理装置１００の各構成要素は、以下のように動作する。
【００６４】
まず、制御部１８０は、紙幣収納庫１１０に設けられた繰り出し機構、認識部１２０に設けられた光学読取部１２２、及び搬送路１３０ａ〜１３０ｅに設けられた搬送機構を稼働するための制御信号を、紙幣収納庫１１０、認識部１２０、及び搬送路１３０ａ〜１３０ｅに出力する。紙幣収納庫１１０、認識部１２０、及び搬送路１３０ａ〜１３０ｅは、制御部１８０から制御信号が入力されると、紙幣５０の搬送を開始する（Ｓ６２０）。これにより、紙幣５０は、紙幣収納庫１１０から搬送路１３０ａに繰り出され、さらに、搬送路１３０ａから認識部１２０へと搬送される。
【００６５】
認識部１２０（具体的には、光学読取部１２２）は、紙幣５０が認識部１２０を通過する都度、紙幣５０の画像を読み取って（Ｓ６２５）、読取紙幣データ２４０ａ及び２４０ｂ（図１７（Ａ）及び（Ｂ）参照）を取得し、取得した読取紙幣データ２４０ａ及び２４０ｂを格納部１９０に出力する。格納部１９０は、認識部１２０から読取紙幣データ２４０ａ及び２４０ｂが入力される都度、入力された読取紙幣データ２４０ａ及び２４０ｂを順次格納する（Ｓ６３０）。
【００６６】
次に、認識部１２０（具体的には、判定部１２４）は、格納部１９０から読取紙幣５０の読取紙幣データ２４０ａ及び２４０ｂを読み出すとともに、参照紙幣データ２１０ａａ、２１０ａｂ、２１０ｂａ、２１０ｂｂ、２１０ｃａ、２１０ｃｂ、２１０ｄａ、及び２１０ｄｂを読み出し（Ｓ６３５）、読取紙幣５０の読取紙幣データ２４０ａ及び２４０ｂと、各参照紙幣データ２１０ａａ、２１０ａｂ、２１０ｂａ、２１０ｂｂ、２１０ｃａ、２１０ｃｂ、２１０ｄａ、及び２１０ｄｂとを比較して、読取紙幣５０の金種を判定し、判定した金種に基づいて、読取紙幣５０の読取汚損度を算出する（Ｓ６４０）。このとき、読取紙幣５０が複数枚存在する場合に、認識部１２０は、Ｓ６３５で、格納部１９０から全ての読取紙幣５０の読取紙幣データ２４０ａ及び２４０ｂを読み出し、Ｓ６４０で、全ての読取紙幣５０の金種を判定するとともに、全ての読取紙幣５０の読取汚損度を算出する。
【００６７】
認識部１２０は、読取紙幣５０の読取汚損度を算出すると、算出した読取紙幣５０の読取汚損度のデータ（以下、「読取汚損度データ」と称する）を格納部１９０に出力する。格納部１９０は、認識部１２０から読取紙幣５０の読取汚損度データが入力されると、入力された読取紙幣５０の読取汚損度データを格納する（Ｓ６４５）。なお、ここでは、格納部１９０は、読取紙幣５０の読取汚損度データを、読取紙幣データ１９８Ａの一種として、格納するものとして説明する。また、ここでは、読取紙幣５０の読取汚損度データは、例えば、「５５」ドット、「６０」ドット等の汚損面積を表しているものとして説明する。
【００６８】
次に、認識部１２０は、格納部１９０から読取紙幣５０の読取汚損度データを読み出すとともに、設定レベルデータ２３０ａ（図１６参照）を読み出し（Ｓ６５０）、読取紙幣５０の読取汚損度データと、設定レベルデータ２３０ａの設定レベルに対応する参照汚損度データとを比較して、読取紙幣５０の正損判定、すなわち、読取紙幣５０が正券であるのかまたは汚損券であるのかの判定を行う（Ｓ６５５）。
【００６９】
認識部１２０は、読取紙幣５０の正損判定を行うと、読取紙幣５０の正損判定結果データ（図１８参照）を格納部１９０及び制御部１８０に出力する。
【００７０】
格納部１９０は、認識部１２０から読取紙幣５０の正損判定結果データが入力されると、入力された読取紙幣５０の正損判定結果データを格納する（Ｓ６６０）。
【００７１】
また、制御部１８０は、認識部１２０から読取紙幣５０の正損判定結果データが入力されると、読取紙幣５０の正損判定結果データに基づいて、読取紙幣５０を集積する格納庫（以下、「集積格納庫」と称する）を決定し（Ｓ６６５）、搬送路１３０ｂ〜１３０ｅに設けられた搬送機構を稼働するための制御信号を、搬送路１３０ｂ〜１３０ｅに出力する。搬送路１３０ｂ〜１３０ｅは、制御部１８０から制御信号が入力されると、読取紙幣５０を、決定された集積格納庫（正券格納庫１５０又は汚損券格納庫１６０）に搬送する（Ｓ６７０）。これにより、読取紙幣５０は、定められた集積格納庫に集積される。そして、紙幣処理装置１００は、紙幣収納庫１１０にセットされた最後の紙幣５０が集積格納庫に集積されると、運用、すなわち、紙幣５０の正損判定を終了する。
【００７２】
＜紙幣処理装置の動作（設定レベルの設定時の動作）＞
この発明が適用される紙幣処理装置１００は、設定レベルの設定時の動作、すなわち、図１９に示すＳ６０５における動作に特徴がある。
【００７３】
この実施例では、オペレータは、サンプル券として、任意の１枚の紙幣５０を紙幣収納庫１１０にセットし、認識部１２０に紙幣５０を読み取らせて、紙幣５０の正損レベルを判定させる。このとき、認識部１２０は、読取紙幣５０の読取紙幣データ２４０ａ及び２４０ｂを取得し、取得した読取紙幣データ２４０ａ及び２４０ｂと、予め格納部１９０に格納されている参照紙幣データ２１０ａａ、２１０ａｂ、２１０ｂａ、２１０ｂｂ、２１０ｃａ、２１０ｃｂ、２１０ｄａ、及び２１０ｄｂとを比較して、読取紙幣５０の金種を判定し、判定した金種に基づいて、読取紙幣５０の読取汚損度を算出する。そして、認識部１２０は、読取紙幣５０の読取汚損度が図１５に示す正損レベルテーブルデータ２２０ａのどの正損レベルの参照汚損度に該当するのかの判定を行う。例えば、認識部１２０が読取紙幣５０の読取汚損度を「５５」と判定した場合に、図１５に示す正損レベルテーブルデータ２２０ａでは、「５５」の参照汚損度に対応する正損レベルは「Ｌｖ６」となっている。そのため、認識部１２０は、この場合に、読取紙幣５０の判定レベルとして、「Ｌｖ６」を判定する。そして、認識部１２０は、読取紙幣５０の判定レベルデータを、制御部１８０を介して表示入力部１７０に出力する。これにより、認識部１２０は、読取紙幣５０の判定レベルを表示入力部１７０に表示させる。すなわち、上述の例の場合であれば、認識部１２０は、読取紙幣５０の判定レベルとして「Ｌｖ６」を表示入力部１７０に表示させる。
【００７４】
以下、図１を参照して、設定レベルの設定時の紙幣処理装置１００の動作につき説明する。なお、図１は、実施例１に係る、設定レベルの設定時の紙幣処理装置の動作を示すフローチャートである。図１中、点線で囲まれた動作は、オペレータによって行われる動作を示している。
【００７５】
図１に示すように、設定レベルの設定時において、まず、オペレータは、正損判定の対象となるサンプル券として、任意の１枚の紙幣５０を用意する。次に、オペレータは、当該紙幣５０を、紙幣収納庫１１０にセットし（Ｓ１０５）、さらに、表示入力部１７０を操作して、表示入力部１７０にレベル設定モード選択キーを表示させ、当該レベル設定モード選択キーを押下して、紙幣処理装置１００の動作モードを、設定レベルの設定を行う状態（以下、「レベル設定モード」と称する）にする（Ｓ１１０）。
【００７６】
この実施例に係る紙幣処理装置１００は、レベル設定モード選択キーが押下されると、これに応答して、設定レベルの設定を開始する。このとき、紙幣処理装置１００の各構成要素は、以下のように動作する。
【００７７】
まず、制御部１８０は、紙幣収納庫１１０に設けられた繰り出し機構、認識部１２０に設けられた光学読取部１２２、及び搬送路１３０ａ〜１３０ｅに設けられた搬送機構を稼働するための制御信号を、紙幣収納庫１１０、認識部１２０、及び搬送路１３０ａ〜１３０ｅに出力する。紙幣収納庫１１０、認識部１２０、及び搬送路１３０ａ〜１３０ｅは、制御部１８０から制御信号が入力されると、紙幣５０の搬送を開始する（Ｓ１１５）。これにより、紙幣５０は、紙幣収納庫１１０から搬送路１３０ａに繰り出され、さらに、搬送路１３０ａから認識部１２０へと搬送される。
【００７８】
認識部１２０（具体的には、光学読取部１２２）は、紙幣５０が認識部１２０を通過すると、紙幣５０の画像を読み取って（Ｓ１２０）、読取紙幣データ２４０ａ及び２４０ｂ（図１７（Ａ）及び（Ｂ）参照）を取得し、取得した読取紙幣データ２４０ａ及び２４０ｂを格納部１９０に出力する。格納部１９０は、認識部１２０から読取紙幣データ２４０ａ及び２４０ｂが入力されると、入力された読取紙幣データ２４０ａ及び２４０ｂを格納する（Ｓ１２５）。
【００７９】
次に、認識部１２０（具体的には、判定部１２４）は、格納部１９０から読取紙幣５０の読取紙幣データ２４０ａ及び２４０ｂを読み出すとともに、参照紙幣データ２１０ａａ、２１０ａｂ、２１０ｂａ、２１０ｂｂ、２１０ｃａ、２１０ｃｂ、２１０ｄａ、及び２１０ｄｂを読み出し（Ｓ１３０）、読取紙幣５０の読取紙幣データ２４０ａ及び２４０ｂと、各参照紙幣データ２１０ａａ、２１０ａｂ、２１０ｂａ、２１０ｂｂ、２１０ｃａ、２１０ｃｂ、２１０ｄａ、及び２１０ｄｂとを比較して、読取紙幣５０の金種を判定し、判定した金種に基づいて、読取紙幣５０の読取汚損度を算出する（Ｓ１３５）。
【００８０】
認識部１２０は、読取紙幣５０の読取汚損度を算出すると、算出した読取紙幣５０の読取汚損度のデータ（以下、「読取汚損度データ」と称する）を格納部１９０に出力する。格納部１９０は、認識部１２０から読取紙幣５０の読取汚損度データが入力されると、入力された読取紙幣５０の読取汚損度データを格納する（Ｓ１４０）。なお、ここでは、格納部１９０は、読取紙幣５０の読取汚損度データを、読取紙幣データ１９８Ａの一種として、格納するものとして説明する。また、ここでは、読取紙幣５０の読取汚損度データは、例えば、「５５」ドットや「６０」ドット等のように、画素（ドット）数を単位とする汚損面積を表すデータであるものとして説明する。
【００８１】
次に、認識部１２０は、格納部１９０から読取紙幣５０の読取汚損度データを読み出すとともに、正損レベルテーブルデータ２２０ａ（図１５参照）を読み出し（Ｓ１４５）、読取紙幣５０の読取汚損度データと、正損レベルテーブルデータ２２０ａの各参照汚損度データとを比較して、読取紙幣５０の正損レベルの判定、すなわち、読取紙幣５０の読取汚損度データがどの正損レベルの参照汚損度データに該当するのかの判定を行う（Ｓ１５０）。
【００８２】
認識部１２０は、読取紙幣５０の正損レベルの判定を行うと、読取紙幣５０の判定レベルデータを、格納部１９０、及び制御部１８０に出力する。なお、判定レベルデータは、認識部１２０が判定した読取紙幣５０の正損レベルを表すデータである。ここでは、判定レベルデータは、図１６に示す設定レベルデータ２３０ａと同じ形式のデータであるものとして説明する。また、認識部１２０は、読取紙幣５０の判定レベルデータを、制御部１８０を介して表示入力部１７０に出力する。
【００８３】
格納部１９０は、認識部１２０から読取紙幣５０の判定レベルデータが入力されると、入力された読取紙幣５０の判定レベルデータを格納する（Ｓ１５５）。
【００８４】
また、制御部１８０は、認識部１２０から読取紙幣５０の判定レベルデータが入力されると、搬送路１３０ｂ〜１３０ｅに設けられた搬送機構を稼働するための制御信号を、搬送路１３０ｂ〜１３０ｅに出力する。搬送路１３０ｂ〜１３０ｅは、制御部１８０から制御信号が入力されると、読取紙幣５０を予め定められた集積格納庫に搬送して、読取紙幣５０を当該集積格納庫に集積する（Ｓ１６０）。なお、読取紙幣５０の搬送は、読取紙幣５０が集積格納庫に集積されたときに終了となる。
【００８５】
また、表示入力部１７０は、制御部１８０を介して認識部１２０から読取紙幣５０の判定レベルデータが入力されると、判定レベルデータに基づいて、図３に示すように、読取紙幣５０の判定レベルの結果を表示する（Ｓ１６５）。なお、図３は、判定レベルの表示の一例を示す図である。図３中、「メニュー」キーは、メニュー画面を表示させるためのキーである。メニュー画面は、上述の通り、各種の動作モードを選択するモード選択キーや、各種のデータを入力する入力画面を選択する入力画面選択キー等を一覧表示する画面である。なお、モード選択キーの中には、上述のレベル設定画面選択キーも含まれている。
【００８６】
オペレータは、表示入力部１７０に表示された読取紙幣５０の判定レベルの結果を参照して、表示入力部１７０に表示された読取紙幣５０の判定レベルの結果が紙幣処理装置１００に設定されている設定レベルと相違していれば、表示入力部１７０を操作して、レベル設定操作を行う（Ｓ１７０）。このレベル設定操作は、以下のようにして行われる。すなわち、例えば、まず、オペレータは、図３に示すメニューキーを押下して、メニュー画面を表示入力部１７０に表示させる。次に、オペレータは、メニュー画面の中の上述のレベル設定画面選択キーを押下して、紙幣処理装置１００の動作モードを設定レベルの設定モードにし、さらに、Ｓ１６５で表示入力部１７０に表示された読取紙幣５０の判定レベルを、表示入力部１７０から紙幣処理装置１００に入力する。このようにして、レベル設定操作が行われる。なお、表示入力部１７０は、オペレータによるレベル設定操作によって入力された判定レベルデータを、制御部１８０を介して認識部１２０に出力する。
【００８７】
認識部１２０は、制御部１８０を介して表示入力部１７０から判定レベルデータが入力されると、制御部１８０を介して、入力された判定レベルデータを格納部１９０に出力する。
【００８８】
格納部１９０は、制御部１８０を介して認識部１２０から判定レベルデータが入力されると、入力された判定レベルデータ、すなわち、オペレータによるレベル設定操作によって入力された判定レベルデータを、設定レベルデータ２３０ａ（図１６参照）として格納する（Ｓ１７５）。これにより、設定レベルが、紙幣処理装置１００に設定される。
【００８９】
以上によって、この実施例に係る紙幣処理装置１００は、設定レベルの設定を終了する。
【００９０】
この実施例に係る紙幣処理装置１００は、任意の１枚の紙幣５０を対象にして判定した正損レベルの結果、すなわち、判定レベルの結果を表示入力部１７０に表示する。これにより、この実施例に係る紙幣処理装置１００は、紙幣処理装置１００によって行われた紙幣５０の判定レベルの結果をオペレータに閲覧させることができる。
【００９１】
なお、オペレータは、表示入力部１７０に表示された紙幣５０の判定レベルの結果を参照するとともに、当該紙幣５０に対して、自身の経験に基づいて、目視によって正損レベルの判定を行うことによって、紙幣処理装置１００によって行われた紙幣５０の判定レベルの結果の良否を検証することができる。すなわち、オペレータは、表示入力部１７０に表示された紙幣５０の判定レベルの結果とオペレータの目視によって行われた紙幣５０の判定レベルの結果とを比較して、表示入力部１７０に表示された紙幣５０の判定レベルの結果がオペレータの目視によって行われた紙幣５０の判定レベルの結果とほぼ一致する場合に、装置がオペレータと同等の感覚で紙幣５０の汚損状態を判定していると判定し、表示入力部１７０に表示された紙幣５０の判定レベルの結果がオペレータの目視によって行われた紙幣５０の判定レベルの結果と相違する場合に、装置がオペレータと同等の感覚で紙幣５０の汚損状態を判定していないと判定することができる。
【００９２】
これにより、オペレータは、オペレータと装置との汚損検知能力のずれの有無を把握することができる。オペレータは、オペレータと装置との汚損検知能力のずれがある場合に、そのずれを解消するように、適切と考えられる設定レベルを紙幣処理装置１００に適宜設定することができる。なお、ここでは、適切と考えられる設定レベルとは、表示入力部１７０に表示され、かつ、紙幣処理装置１００によって行われた紙幣５０の判定レベルをさしている。
【００９３】
したがって、この実施例に係る紙幣処理装置１００は、オペレータと装置との間の汚損検出能力のずれの有無をオペレータに認識させることができる。
【００９４】
この実施例に係る紙幣処理装置１００によれば、装置がオペレータと同等の感覚で紙幣の汚損状態を判定するように、容易に、かつ、短時間で、設定レベルをオペレータに設定させることができるという効果を得る。
【００９５】
［実施例２］
実施例１では、紙幣処理装置１００の表示入力部１７０は、Ｓ１６５で、認識部１２０から読取紙幣５０の判定レベルデータが入力されると、図３に示すように、読取紙幣５０の判定レベルの画面を表示する。
【００９６】
これに対して、実施例２では、図４に示すように、読取紙幣５０の判定レベルに、自動設定キー１７２を追加した画面を表示する。なお、図４は、判定レベルの表示の一例を示す図である。
【００９７】
この実施例では、紙幣処理装置１００の認識部１２０は、オペレータによって表示入力部１７０に表示された自動設定キー１７２が押下されると、表示入力部１７０に表示されていた判定レベルを設定レベルとして設定する。
【００９８】
以下、図２を参照して、実施例２に係る紙幣処理装置１００の動作につき説明する。なお、図２は、実施例２に係る、設定レベルの設定時の紙幣処理装置の動作を示すフローチャートである。図２中、点線で囲まれた動作は、オペレータによって行われる動作を示している。
【００９９】
この実施例に係る紙幣処理装置１００は、Ｓ１０５〜Ｓ１６５まで、実施例１と同様に動作する。
【０１００】
Ｓ１６５の後、オペレータは、表示入力部１７０に表示された読取紙幣５０の判定レベルを確認すると、表示入力部１７０を操作して、図４に示すように、表示入力部１７０に表示された「自動設定」キー１７２を押下する（Ｓ１７０’）。
【０１０１】
表示入力部１７０は、オペレータによる「自動設定」キー１７２の押下に応答して、「自動設定」キー１７２の押下を表す信号（以下、「自動設定信号」と称する）を、制御部１８０を介して認識部１２０に出力する。
【０１０２】
認識部１２０は、制御部１８０を介して表示入力部１７０から自動設定信号が入力されると、制御部１８０を介して、Ｓ１５５で格納部１９０に格納されていた読取紙幣５０の判定レベルデータを読み出し、制御部１８０を介して、読み出した判定レベルデータを格納部１９０に出力する。
【０１０３】
格納部１９０は、制御部１８０を介して認識部１２０から判定レベルデータが入力されると、入力された判定レベルデータ、すなわち、Ｓ１５５で格納部１９０に格納されていた読取紙幣５０の判定レベルデータを、設定レベルデータ２３０ａ（図１６参照）として格納する（Ｓ１７５’）。これにより、設定レベルが、紙幣処理装置１００に設定される。
【０１０４】
以上によって、この実施例に係る紙幣処理装置１００は、設定レベルの設定を終了する。
【０１０５】
この実施例に係る紙幣処理装置１００は、オペレータによる「自動設定」キー１７２の押下に応答して、Ｓ１５５で格納部１９０に格納されていた読取紙幣５０の判定レベルデータを、設定レベルデータ２３０ａ（図１６参照）として格納する。
【０１０６】
したがって、この実施例に係る紙幣処理装置１００によれば、紙幣処理装置１００によって判定され、表示入力部１７０に表示されている読取紙幣５０の判定レベルを、設定レベルとして自動的に設定することができるという効果を得る。
【０１０７】
これにより、オペレータは、実施例１よりも容易に、適切と考えられる設定レベルを紙幣処理装置に適宜設定することができる。
【０１０８】
［実施例３］
実施例１では、紙幣処理装置１００は、１枚の紙幣５０を対象にして正損レベルを判定し、図１に示すＳ１６５で、この紙幣５０の判定レベルの結果を、図３に示す形式の画面によって表示入力部１７０に表示する。このような実施例１では、オペレータは、紙幣処理装置１００によって行われた紙幣５０の判定レベルの結果の良否の検証を、高精度に行うことができない。そのため、オペレータは、設定レベルを設定する動作を、数回、繰り返す必要がある。
【０１０９】
これに対して、実施例３では、紙幣処理装置１００は、複数枚の紙幣５０を対象にして正損レベルを判定し、図１に示すＳ１６５の動作時に、各紙幣５０の判定レベルの結果をリストで表示入力部１７０に表示する（図５参照）。
【０１１０】
なお、図５は、判定レベルの表示の一例を示す図である。図５は、表示入力部１７０に表示された、読取紙幣５０の読取番号と読取紙幣５０の判定レベルとの対応関係を表すリストの一例を示している。
【０１１１】
これにより、この実施例に係る紙幣処理装置１００は、紙幣処理装置１００によって行われた各紙幣５０の判定レベルの結果を一括してオペレータに閲覧させることができる。
【０１１２】
なお、オペレータは、表示入力部１７０に表示された各紙幣５０の判定レベルの結果を参照するとともに、各紙幣５０に対して、自身の経験に基づいて、目視によって正損レベルの判定を行うことによって、紙幣処理装置１００によって行われた各紙幣５０の判定レベルの結果の良否を検証することができる。すなわち、オペレータは、表示入力部１７０に表示された各紙幣５０の判定レベルの結果とオペレータの目視によって行われた各紙幣５０の判定レベルの結果とを比較して、表示入力部１７０に表示された各紙幣５０の判定レベルの結果がオペレータの目視によって行われた各紙幣５０の判定レベルの結果とほぼ一致する場合に、装置がオペレータと同等の感覚で紙幣５０の汚損状態を判定していると判定し、表示入力部１７０に表示された各紙幣５０の判定レベルの結果がオペレータの目視によって行われた各紙幣５０の判定レベルの結果と相違する場合に、装置がオペレータと同等の感覚で紙幣５０の汚損状態を判定していないと判定することができる。
【０１１３】
この検証は、紙幣処理装置１００によって行われた各紙幣５０の判定レベルの結果を一括してオペレータに閲覧させることができるので、実施例１よりも、高精度に行うことができる。
【０１１４】
したがって、この実施例に係る紙幣処理装置１００によれば、実施例１と同様の効果に加え、設定レベルをオペレータに繰り返し設定させる回数を、実施例１よりも低減することができるという効果を得る。
【０１１５】
［実施例４］
実施例３では、紙幣処理装置１００は、複数枚の紙幣５０の判定レベルを、図５に示す形式の画面によって表示入力部１７０に表示する。このような、実施例３は、紙幣処理装置１００が多量の紙幣５０（例えば、１００枚以上の紙幣５０）の正損レベルを判定した場合に、オペレータは、紙幣処理装置１００によって行われた各紙幣５０の判定レベルの結果の良否を検証することが困難になる。
【０１１６】
これに対して、実施例４では、紙幣処理装置１００は、まず、各判定レベルに対応する紙幣５０の全体に占める量を表すヒストグラムで表示入力部１７０に表示し（図６参照）、さらに、同じ判定レベルとなっている紙幣５０の判定レベルの結果をリストで表示入力部１７０に表示する（図７参照）。
【０１１７】
なお、図６及び図７は、それぞれ、判定レベルの表示の一例を示す図である。図６は、表示入力部１７０に表示された、各判定レベルに対応する紙幣５０の全体に占める量を表すヒストグラムの一例を示している。図６中、横軸は正損レベルを示し、縦軸は紙幣５０の枚数を示している。また、図７は、表示入力部１７０に表示された、同じ判定レベルとなっている紙幣５０の読取番号を表すリストの一例を示している。
【０１１８】
まず、この実施例に係る紙幣処理装置１００は、図６に示すように、各紙幣５０の判定レベルの結果をヒストグラムで表示入力部１７０に表示する。これにより、この実施例に係る紙幣処理装置１００は、各判定レベルに対応する紙幣５０の全体に占める量、すなわち、どの正損レベルの紙幣５０がどの程度の量であるのかを、オペレータに把握させることができる。
【０１１９】
そのため、この実施例に係る紙幣処理装置１００は、各判定レベルに対応する紙幣５０の全体に占める量に基づいて、オペレータに、紙幣処理装置１００によって行われた各紙幣５０の判定レベルの結果の良否を総体的に検証させることができる。
【０１２０】
さらに、この実施例に係る紙幣処理装置１００は、図７に示すように、同じ判定レベルとなっている紙幣５０の判定レベルの結果をリストで表示入力部１７０に表示する。例えば、紙幣処理装置１００は、図７に示すように、判定レベルがＬｖ５となっている全ての紙幣５０の読取番号を抽出し、それらの読取番号をリストで表示入力部１７０に表示する。これにより、この実施例に係る紙幣処理装置１００は、個々の紙幣５０の判定レベル、すなわち、何枚目の読取番号の紙幣５０がどの正損レベルであったのかを、オペレータに把握させることができる。
【０１２１】
そのため、この実施例に係る紙幣処理装置１００は、個々の紙幣５０の判定レベルに基づいて、オペレータに、紙幣処理装置１００によって行われた各紙幣５０の判定レベルの結果の良否を個別的に検証させることができる。
【０１２２】
なお、図７に示す例では、紙幣処理装置１００は、判定レベルがＬｖ５となっている紙幣５０の読取番号を表示しているが、判定レベル毎に、Ｌｖ５以外の紙幣５０の読取番号を表示することもできる。
【０１２３】
以上の通り、この実施例に係る紙幣処理装置１００は、各紙幣５０の判定レベルの結果をヒストグラムで表示入力部１７０に表示することにより、各判定レベルに対応する紙幣５０の全体に占める量をオペレータに把握させることができる。そのため、この実施例に係る紙幣処理装置１００は、オペレータに、紙幣処理装置１００によって行われた各紙幣５０の判定レベルの結果の良否を総体的に検証させることができる。
【０１２４】
さらに、この実施例に係る紙幣処理装置１００は、同じ判定レベルとなっている紙幣５０の判定レベルの結果をリストで表示入力部１７０に表示することにより、個々の紙幣５０の判定レベルをオペレータに把握させることができる。そのため、この実施例に係る紙幣処理装置１００は、オペレータに、紙幣処理装置１００によって行われた各紙幣５０の判定レベルの結果の良否を個別的に検証させることができる。
【０１２５】
したがって、この実施例に係る紙幣処理装置１００によれば、実施例３と同様の効果に加え、紙幣処理装置１００が多量の紙幣５０の正損レベルを判定した場合であっても、紙幣処理装置１００によって行われた各紙幣５０の判定レベルの結果の良否の検証を、実施例３よりも容易に、オペレータにさせることができるという効果を得る。
【０１２６】
［実施例５］
実施例４では、紙幣処理装置１００は、正損レベルがほぼ同等なグループの紙幣５０を対象にして、正損レベルを判定し、図６に示すように、その判定結果をヒストグラムで表示入力部１７０に表示する。
【０１２７】
これに対して、実施例５では、紙幣処理装置１００は、正損レベルが異なる２つのグループの紙幣５０を対象にして、図８に示すように、２つのグループの各判定結果をグループ毎に色分けしたヒストグラムで表示入力部１７０に表示する。
【０１２８】
なお、図８は、判定レベルの表示の一例を示す図である。図８は、１回目の正損レベルの判定で判定されたグループの、各判定レベルに対応する紙幣５０の全体に占める量を表すヒストグラム（以下、「１回目のヒストグラム」と称する）、及び、２回目の正損レベルの判定で判定されたグループの、各判定レベルに対応する紙幣５０の全体に占める量を表すヒストグラム（以下、「２回目のヒストグラム」と称する）の一例を示している。以下、２つのグループのそれぞれを、「第１グループ」、「第２グループ」と称する。
【０１２９】
紙幣処理装置１００は、例えば、第１グループの紙幣５０を対象にして、１回目の正損レベルの判定を行い、その後、第２グループの紙幣５０を対象にして、２回目の正損レベルの判定を行う。なお、ここでは、第１グループの紙幣５０は、正券と判定されるべき紙幣５０となり、第２グループの紙幣５０は、汚損券と判定されるべき紙幣５０となっている。例えば、設定レベルをＬｖ５とする場合に、第１グループの紙幣５０は、設定レベルのＬｖ５と同等かそれよりも高い正損レベルの紙幣５０となり、第２グループの紙幣５０は、設定レベルのＬｖ５よりも下の正損レベルの紙幣５０となる。但し、第１グループの紙幣５０であっても、紙幣処理装置１００は、誤って汚損券と判定する場合もある。また、第２グループの紙幣５０であっても、紙幣処理装置１００は、誤って正券と判定する場合もある。なお、正損レベルの判定の順番は、逆であってもよい。また、ここでは、第１グループの紙幣５０と第２グループの紙幣５０は、同じ枚数であるものとする。
【０１３０】
紙幣処理装置１００は、２つのグループの紙幣５０の正損レベルの判定を行うと、その判定レベルの結果を、図８に示すように、グループ毎に色分けして、１回目のヒストグラム及び２回目のヒストグラムとして表示入力部１７０に表示する。これにより、この実施例に係る紙幣処理装置１００は、グループ毎に、各判定レベルに対応する紙幣５０の全体に占める量、すなわち、どの正損レベルの紙幣５０がどの程度の量であるのかを、オペレータに把握させることができる。
【０１３１】
なお、この実施例に係る紙幣処理装置１００は、好ましくは、まず、図８に示すように、２つのグループの判定レベルの結果を、グループ毎に色分けして、１回目のヒストグラム及び２回目のヒストグラムとして表示入力部１７０に表示し、さらに、図７に示すように、実施例４と同様に、同じ判定レベルとなっている紙幣５０の判定レベルの結果をリストで表示入力部１７０に表示するとよい。なお、同じ判定レベルとなっている紙幣５０の判定レベルの結果をリストで表示する場合に、判定レベルの結果は、好ましくは、グループ毎に色分けするとよい。
【０１３２】
この実施例に係る紙幣処理装置１００は、本来、正券として判定されるべきグループの紙幣５０がどの正損レベルでどれだけの量存在するのか、また、本来、汚損券として判定されるべきグループの紙幣５０がどの正損レベルでどれだけの量存在するのかを、オペレータに容易に把握させることができる。
【０１３３】
そのため、この実施例に係る紙幣処理装置１００は、実施例４と同様の効果に加え、紙幣処理装置１００によって行われた各紙幣５０の判定レベルの結果の良否の検証を、実施例４よりもさらに容易に、オペレータにさせることができるという効果を得る。
【０１３４】
［実施例６］
実施例５では、紙幣処理装置１００は、正損レベルが異なる２つのグループの紙幣５０を対象にして、図８に示すように、２つのグループの各判定結果を、グループ毎に色分けしたヒストグラムで表示入力部１７０に表示する。
【０１３５】
これに対して、実施例６では、紙幣処理装置１００は、図９に示すように、２つのグループのヒストグラムに基づいて、第１グループの紙幣５０と第２グループの紙幣５０とを切り分ける適切な正損レベル（以下、「切分正損レベルＤｓｈ」と称する）を算出する。
【０１３６】
なお、図９は、判定レベルの表示の一例を示す図である。図９は、切分正損レベルＤｓｈを算出するためのものである。図９は、図８に示す２つのグループのヒストグラムに、切分正損レベルＤｓｈを付加した状態を示している。
【０１３７】
なお、切分正損レベルＤｓｈの算出は、以下の手順で行われる。
【０１３８】
すなわち、例えば、第１グループの紙幣５０の判定レベルの最大のものをＤ１ｍａｘとし、第２グループの紙幣５０の判定レベルの最小のものをＤ２ｍｉｎとする場合に、紙幣処理装置１００（具体的には、認識部１２０）は、Ｄ１ｍａｘとＤ２ｍｉｎとを比較して、Ｄ１ｍａｘ≦Ｄ２ｍｉｎの関係が成立するときに、第２グループの紙幣５０の最小の判定レベルＤ２ｍｉｎを、切分正損レベルＤｓｈとする。すなわち、紙幣処理装置１００は、Ｄ１ｍａｘ≦Ｄ２ｍｉｎの関係が成立するときに、Ｄｓｈ＝Ｄ２ｍｉｎとする。
【０１３９】
また、第１グループの紙幣５０の正券となる数と第２グループの紙幣５０の汚損券となる数の和が最小となる正損レベルをＤ３とする場合に、紙幣処理装置１００は、Ｄ１ｍａｘとＤ２ｍｉｎとを比較して、Ｄ１ｍａｘ＞Ｄ２ｍｉｎの関係が成立するときに、正損レベルＤ３を、切分正損レベルＤｓｈとする。すなわち、紙幣処理装置１００は、Ｄ１ｍａｘ＞Ｄ２ｍｉｎの関係が成立するときに、Ｄｓｈ＝Ｄ３とする。
【０１４０】
なお、紙幣処理装置１００は、図９に示すように、実施例２で説明した「自動設定」キー１７２を表示入力部１７０に表示することが好ましい。これにより、紙幣処理装置１００は、オペレータによる「自動設定」キー１７２の押下に応答して、認識部１２０が、図９に示すヒストグラムに基づいて、切分正損レベルＤｓｈを算出し、算出した切分正損レベルＤｓｈを設定レベルとして格納部１９０に格納する。これにより、紙幣処理装置１００は、切分正損レベルＤｓｈを設定レベルとして自動的に設定する。例えば、紙幣処理装置１００は、第１グループの紙幣５０と第２グループの紙幣５０の正損レベルを判定した場合の設定レベルがＬｖ５で、第１グループの紙幣５０と第２グループの紙幣５０とを切り分ける切分正損レベルＤｓｈとして算出したレベルがＬｖ６であった場合に、設定レベルをＬｖ５からＬｖ６に設定しなおす。
【０１４１】
以上の通り、この実施例に係る紙幣処理装置１００によれば、ヒストグラムに基づいて、正損レベルが異なる２つのグループの紙幣５０を切り分ける切分正損レベルＤｓｈを算出し、算出した切分正損レベルＤｓｈを設定レベルとして設定するので、実施例５よりもさらに容易に、適切と考えられる設定レベルの設定を行うことができるという効果を得る。
【０１４２】
［実施例７］
実施例６では、紙幣処理装置１００は、図９に示すように、横軸を正損レベルとし、縦軸を紙幣５０の枚数とするヒストグラムに基づいて、第１グループの紙幣５０と第２グループの紙幣５０とを切り分ける切分正損レベルＤｓｈを算出している。
【０１４３】
これに対して、実施例７では、紙幣処理装置１００は、図１０に示すように、横軸を読取汚損度とし、縦軸を紙幣５０の枚数とするヒストグラムに基づいて、第１グループの紙幣５０と第２グループの紙幣５０とを切り分ける切分正損レベルＤｓｈを算出する。
【０１４４】
なお、図１０は、判定レベルの表示の一例を示す図である。図１０中、横軸は読取汚損度及びその読取汚損度に対応する正損レベルを示し、縦軸は紙幣５０の枚数を示している。なお、図１０に示す例では、紙幣５０の枚数は、実施例６よりもさらに多い枚数（例えば、１０００枚）となっている。また、ヒストグラムの横軸のパラメータは、図９に示す実施例６のヒストグラムの横軸のパラメータよりも微細に分割されている。
【０１４５】
この実施例に係る紙幣処理装置１００は、図１０に示すように、切分正損レベルＤｓｈの算出に用いるヒストグラムの横軸のパラメータとして、実施例６よりも微細な読取汚損度を用いている。そのため、この実施例に係る紙幣処理装置１００は、ヒストグラムに基づいて、実施例６よりもさらに微細に、切分正損レベルＤｓｈを算出することができる。
【０１４６】
したがって、この実施例に係る紙幣処理装置１００によれば、実施例６よりもさらに微細に、適切と考えられる設定レベルの設定を行うことができるという効果を得る。
【０１４７】
［実施例８］
実施例４〜７では、紙幣処理装置１００によって判定された多量の紙幣５０の判定レベルが偏らずに分散した場合に、設定レベルとすべき正損レベルの値が特定できなくなる。
【０１４８】
そこで、実施例８では、紙幣処理装置１００は、図１１に示すように、各判定レベルに対応する紙幣５０の量を表す正規分布を表示入力部１７０に表示する。
【０１４９】
なお、図１１は、判定レベルの表示の一例を示す図である。図１１は、表示入力部１７０に表示された、各紙幣５０の判定レベルの結果の正規分布の一例を示している。図１１中、横軸は読取汚損度及びその読取汚損度に対応する正損レベルを示し、縦軸は紙幣５０の枚数を示している。
【０１５０】
まず、この実施例に係る紙幣処理装置１００は、図１１に示すように、多量の紙幣５０の判定レベルを正規分布で表示入力部１７０に表示する。
【０１５１】
次に、この実施例に係る紙幣処理装置１００は、図１１に示す正規分布を参照して、予め定められた標準偏差σを算出するための標準偏差算出プログラムに基づいて、標準偏差σを算出する。なお、標準偏差算出プログラムは、格納部１９０のプログラム格納領域１９２に予め格納されている。ここでは、紙幣処理装置１００は、例えば、正券と判定されるべき１００枚の紙幣５０の正損レベルを判定した場合に、認識部１２０が、格納部１９０から標準偏差算出プログラムを読み出し、この標準偏差算出プログラムに基づいて、標準偏差σを算出する。
【０１５２】
なお、標準偏差σを算出は、以下の手順で行われる。
【０１５３】
すなわち、例えば、正損レベルの判定の対象となる紙幣５０の枚数をｎとし、紙幣処理装置１００によって判定された各紙幣５０のそれぞれの正損レベルをｘ１，ｘ２，…，ｘｎとする場合に、紙幣処理装置１００（具体的には、認識部１２０）は、以下の式１によって相加平均Ｘを算出し、以下の式２によって標準偏差σを算出する。
【０１５４】
【数１】
2008152597.tif 000003
【０１５５】
【数２】
2008152597.tif 000004
【０１５６】
そして、紙幣処理装置１００は、算出した標準偏差σを用いて、予め定められた数の紙幣５０が予め定められた範囲内に含まれる正損レベルを算出する。ここでは、紙幣処理装置１００は、１００枚の中の９９．８６％以上の紙幣５０が±３σの範囲内に含まれる正損レベルを算出するものとする。そして、紙幣処理装置１００は、＋３σとなる正損レベル（以下、「包含正損レベル」と称する）Ｄσを設定レベルとして設定する。なお、図１１に、包含正損レベルＤσを示す。図１１に示す例では、包含正損レベルＤσは、読取汚損度が４２となっている。そのため、紙幣処理装置１００は、汚損度４２に対応するＬｖ５を、設定レベルとして、設定する。
【０１５７】
この実施例に係る紙幣処理装置１００によれば、標準偏差σを算出し、算出した標準偏差σに基づいて包含正損レベルＤσを算出するので、多量の紙幣５０の判定レベルが偏らずに分散した場合であっても、容易に、適切と考えられる設定レベルの設定を行うことができるという効果を得る。
【０１５８】
［実施例９］
紙幣処理装置１００は、正月等の特定の時期に、比較的綺麗な紙幣を取り扱う場合が多い。そのため、紙幣処理装置１００は、正月等の特定の時期に、通常の時期よりも厳しい設定レベルで運用されることが好ましい。
【０１５９】
そこで、実施例９では、紙幣処理装置１００は、正月等の特定の時期に、通常の時期よりも厳しい設定レベルで運用されるようにしている。
【０１６０】
以下、図２０を参照して、この実施例につき説明する。なお、図２０は、実施例９に係る紙幣処理装置の動作を示すフローチャートである。図２０中、点線で囲まれた動作は、オペレータによって行われる動作を示している。
【０１６１】
図２０に示すように、この実施例では、オペレータは、予め、通常の時期に用いる正損レベル（以下、「通常時期用の正損レベル」と称する）と例えば正月等の特定の時期に用いる特別な正損レベル（以下、「特定時期用の正損レベル」と称する）とを予め判定しておき、表示入力部１７０を操作して、制御部１８０を介してその通常時期用の正損レベルと特定時期用の正損レベルとを格納部１９０に格納しておく（Ｓ２０５）。
【０１６２】
オペレータは、表示入力部１７０を操作して、幣処理装置１００の動作モードとして運用モードを選択する。これにより、紙幣処理装置１００は、運用を開始する（Ｓ２１０）。
【０１６３】
運用時において、紙幣処理装置１００の制御部１８０は、定期的に、現在時刻が正月等の特定時期であるか否かを判定する（Ｓ２１５）。
【０１６４】
Ｓ２１５の判定で、現在時刻が特定時期であると判定された場合に、制御部１８０は、格納部１９０から特定時期用の正損レベルを読み出し、読み出した特定時期用の正損レベルを認識部１２０の設定レベルとして設定する（Ｓ２２０）。すなわち、制御部１８０は、読み出した特定時期用の正損レベルを認識部１２０の設定レベルとして格納部１９０に格納する。
【０１６５】
他方、Ｓ２１５の判定で、現在時刻が特定時期でないと判定された場合に、制御部１８０は、格納部１９０から通常時期用の正損レベルを読み出し、読み出した通常時期用の正損レベルを認識部１２０の設定レベルとして設定する（Ｓ２２５）。すなわち、制御部１８０は、読み出した通常時期用の正損レベルを認識部１２０の設定レベルとして格納部１９０に格納する。
【０１６６】
Ｓ２２０またはＳ２２５の後、紙幣処理装置１００の制御部１８０及び認識部１２０は、運用時の動作を実行する（Ｓ２３０）。そして、制御部１８０は、オペレータによる操作を受ける度に、または、予め定められた時間が経過する度に、運用が終了か否かを判定する（Ｓ２３５）。
【０１６７】
Ｓ２３５の判定で、運用が終了であると判定された場合に、制御部１８０は、運用動作を終了する。
【０１６８】
Ｓ２３５の判定で、運用が終了でないと判定された場合に、制御部１８０は、現在時刻が設定レベルの更新時刻であるか否かを判定する（Ｓ２４０）。
【０１６９】
Ｓ２４０の判定で、現在時刻が設定レベルの更新時刻であると判定された場合に、紙幣処理装置１００の動作は、Ｓ２１５に戻る。
【０１７０】
他方、Ｓ２４０の判定で、現在時刻が設定レベルの更新時刻でないと判定された場合に、紙幣処理装置１００の動作は、Ｓ２３０に戻る。
【０１７１】
この実施例に係る紙幣処理装置１００は、現在時刻が例えば正月等の特定の時期になった場合に、認識部１２０の設定レベルを特定時期用の正損レベルに自動的に設定し、さらに、現在時刻が特定の時期から外れた場合に、認識部１２０の設定レベルを通常時期用の正損レベルに自動的に設定する。
【０１７２】
そのため、この実施例に係る紙幣処理装置１００によれば、特定の時期に、通常よりも厳しい設定レベルで自動的に運用することができる。
【０１７３】
なお、紙幣処理装置１００は、特定時期用の正損レベルとして、例えば、図１５に示す正損レベルテーブルデータ２２０ａの中のいずれかのデータを用いてもよい。また、紙幣処理装置１００は、特定時期用の正損レベルとして、例えば、実施例６で説明した切分正損レベルＤｓｈや実施例８で説明した包含正損レベルＤσ等を用いてもよい。
【０１７４】
また、紙幣処理装置１００は、オペレータが表示入力部１７０を操作することにより、オペレータの操作に基づいて、特定時期用の正損レベルを設定レベルとして設定するようにしてもよい。
【０１７５】
この発明は、上述の実施例に限定されることなく、この発明の要旨を逸脱しない範囲で種々の変更や変形を行うことができる。
【図面の簡単な説明】
【０１７６】
【図１】実施例１に係る、設定レベルの設定時の紙幣処理装置の動作を示すフローチャートである。
【図２】実施例２に係る、設定レベルの設定時の紙幣処理装置の動作を示すフローチャートである。
【図３】判定レベルの表示の一例を示す図（１）である。
【図４】判定レベルの表示の一例を示す図（２）である。
【図５】判定レベルの表示の一例を示す図（３）である。
【図６】判定レベルの表示の一例を示す図（４）である。
【図７】判定レベルの表示の一例を示す図（５）である。
【図８】判定レベルの表示の一例を示す図（６）である。
【図９】判定レベルの表示の一例を示す図（７）である。
【図１０】判定レベルの表示の一例を示す図（８）である。
【図１１】判定レベルの表示の一例を示す図（９）である。
【図１２】紙幣処理装置の機構系の構成を示す図である。
【図１３】紙幣処理装置の制御系の構成を示す図である。
【図１４】参照紙幣データの一例を示す図である。
【図１５】正損レベルテーブルデータの一例を示す図である。
【図１６】設定レベルデータの一例を示す図である。
【図１７】（Ａ）及び（Ｂ）は、読取紙幣データの一例を示す図である。
【図１８】正損判定結果データの一例を示す図である。
【図１９】運用時の紙幣処理装置の動作を示すフローチャートである。
【図２０】実施例９に係る紙幣処理装置の動作を示すフローチャートである。
【符号の説明】
【０１７７】
５０    …紙幣
１００    …紙幣処理装置
１１０    …紙幣収納庫
１２０    …認識部
１２２    …光学読取部
１２４    …判定部
１３０ａ〜１３０ｅ    …搬送路
１４０    …表裏反転部
１５０    …正券格納庫
１６０    …汚損券格納庫
１７０    …表示入力部
１８０    …制御部
１９０    …格納部
１９２    …プログラム格納領域
１９４    …データ格納領域
【図１】
2008152597.tif 000005
【図２】
2008152597.tif 000006
【図３】
2008152597.tif 000007
【図４】
2008152597.tif 000008
【図５】
2008152597.tif 000009
【図６】
2008152597.tif 000010
【図７】
2008152597.tif 000011
【図８】
2008152597.tif 000012
【図９】
2008152597.tif 000013
【図１０】
2008152597.tif 000014
【図１１】
2008152597.tif 000015
【図１２】
2008152597.tif 000016
【図１３】
2008152597.tif 000017
【図１４】
2008152597.tif 000018
【図１５】
2008152597.tif 000019
【図１６】
2008152597.tif 000020
【図１７】
2008152597.tif 000021
【図１８】
2008152597.tif 000022
【図１９】
2008152597.tif 000023
【図２０】
2008152597.tif 000024